(57)【特許請求の範囲】
【請求項１】
複数個の互いに隔絶された笛室と通気室とが交互に左右方向に並んで配置された第１の隔室列と、この第１の隔室列の笛室の下に通気室が、通気室の下に笛室がそれぞれ配置される相互位置関係で、同様に複数個の互いに隔絶された笛室と通気室とが交互に左右方向に並んで配置された第２の隔室列と、第１の隔室列の各笛室に連通する吹き口が左右方向に並んで配置された第１の吹き口列と、第２の隔室列の各笛室に連通する吹き口が左右方向に並んで配置された第２の吹き口列とを具備する本体と；この本体の前記第１の隔室列の上部に沿って本体に取り付けられ、第１の隔室列の各笛室に対応する位置に発音窓を有し、各通気室に対応する位置に排気窓を有する第１のリードプレートと；前記本体の第２の隔室列の下部に沿って本体に取り付けられ、第２の隔室列の各笛室に対応する位置に発音窓を有し、各通気室に対応する位置に排気窓を有する第２のリードプレートと；前記本体の第１の隔室列と第２の隔室列との間に配置され、第１、第２の隔室列の各笛室に対応する位置に発音窓を有する第３のリードプレートと；前記第１のリードプレートの発音窓に対応して当該リードプレートの外側面に取り付けられる吸いリード及び内側面に取り付けられる吸い開放弁と；前記第２のリードプレートの発音窓に対応して当該リードプレートの外側面に取り付けられる吸いリード及び内側面に取り付けられる吸い開放弁と；前記第３のリードプレートの発音窓に対応するように当該リードプレートの各笛室側の面に取り付けられる吹きリードと；前記第１及び第２のリードプレートの各排気窓に対応して当該各リードプレートの外側面に取り付けられる吹き開放弁と；前記本体に取り付けられ、それぞれ前記第１の吹き口列と第２の吹き口列の上下に並ぶ２つの吹き口に同時に連通するように、左右方向一列に並んで形成された複数の吹き孔を有するマウスピースと；このマウスピースと前記本体との間に、左右方向の第１位置と第２位置の間を移動自在に設けられ、第１位置において上下に並ぶ前記２つの吹き口の一方を遮蔽して他方を開き、第２位置において当該２つの吹き口の他方を遮蔽して一方を開くように左右方向に千鳥配列された複数の開口を有するスライドレバーとを具備し； このスライドレバーが第１位置にあるときに開かれる前記吹き口に連通する前記笛室に対応する前記吹き吸いのリードは左端の笛室から順次右端側へ高音となるように配置された長音階のリードであり、スライドレバーが第２位置にあるときに開かれる他の前記吹き口に連通する前記笛室に対応する前記吹き吸いのリードは左端の笛室から順次右端側へ高音となるように配置された半音階のリードであることを特徴とするクロマチックハーモニカ。
【請求項２】
前記第１の隔室列における笛室は、左端から順次右方向へ、吹ｃ１・吸ｄ１−吹ｆ１・吸ｆ１＃−吹ｇ１・吸ａ１−吹ｃ２＃・吸ｃ２−吹ｃ２・吸ｄ２−吹ｆ２・吸ｆ２＃−吹ｇ２・吸ａ２−吹ｃ３＃・吸ｃ３−吹ｃ３・吸ｄ３−吹ｆ３・吸ｆ３＃−吹ｇ３・吸ａ３−吹ｃ４＃・吸ｄ４を発音するように配置され、
前記第２の隔室列における笛室は、左端の通気室に続いて順次右方向へ、吹ｃ１＃・吸ｄ１＃−吹ｅ１・吸ｆ１−吹ｇ１＃・吸ａ１＃−吹ｃ２・吸ｂ１−吹ｃ２＃・吸いｄ２＃−吹ｅ２・吸ｆ２−吹ｇ２＃・吸ａ２＃−吹ｃ３・吸ｂ２−吹ｃ３＃・吸ｄ３＃−吹ｅ３・吸ｆ３−吹ｇ３＃・吸ａ３＃−吹ｃ４・吸ｂ３を発音するように配置されることを特徴とする請求項１に記載のクロマチックハーモニカ。
【発明の詳細な説明】
【技術分野】
【０００１】
この発明は、スライドレバーを移動させることにより、長音階とこれより半音高い半音階の２種の音階を発音できるようにしたスライド式のクロマチックハーモニカに関する。
【背景技術】
【０００２】
クロマチックハーモニカは、本体とマウスピースとの間に、スライドレバーを備えている。本体には、発音体であるリードを有する多数の笛室があり、各笛室に対して空気を吹き吸いする多数の吹き口が左右（横）方向に並んで上下に２列設けられる。1列の笛室は長音階の音配列、他の1列の笛室は半音階の音配列となっている。各笛室列の外側にはリードプレートが固定される。リードプレートは、各笛室に対応する発音窓を有し、各発音窓上に、各音高それぞれに対応したリードが固定される。発音窓は、１つの笛室の幅内に２つ設けられる。リードには、吹き操作により発音する吹きリードと、吸い操作により発音する吸いリードの２種があり、吹吸の２つのリードが、各笛室ごとに横方向に並んでリードプレート上に配置される。吹きリードは、笛室の内側に位置してリードプレート上に配置され、これに対応する吹開放弁が当該笛室の外側に位置してリードプレート上に固定される。吸いリードは、笛室の外側に位置してリードプレート上に配置され、これに対応する吸開放弁が当該笛室の内側に位置してリードプレート上に固定される。クロマチックハーモニカでは、スライドレバーを移動させることにより、長音階の笛室列又は半音階の笛室列のいずれかを閉じて、選択的にいずれかの音階の音を発音することができるようになっている（例えば特許文献１）。なお、ここで、上・下、左・右とは、ハーモニカの演奏状態において演奏者から見た上下左右をいう。
【先行技術文献】
【特許文献】
【０００３】
【特許文献１】特開２００４−２１９７３２号
【発明の概要】
【発明が解決しようとする課題】
【０００４】
上記従来のクロマチックハーモニカにおいては、１つの笛室の幅寸法内に吹き吸い2つのリードと、これらに対応する吹き開放、吸い開放の２つの弁が左右に並んで配置される。リードと弁の設置スペースは、笛室の横幅内に制限される。本体の左右幅が一定であれば、１列に並んだ各笛室の左右幅を拡大することはできないから、発音体であるリードの大きさを自由に拡大することはできない。
したがって、この出願に係る発明は、ハーモニカ本体の横幅を拡大することなく、実質的に笛室の幅を広げることにより、リードの設置スペースを広げて、リードの大きさの自由度を増大させることができるクロマチックハーモニカを提供することを目的としている。
【課題を解決するための手段】
【０００５】
以下、添付図面の符号を参照して説明するが、本発明はこれに限定されるものではない。
上記課題を解決するための、この出願に係る発明のクロマチックハーモニカ１は、本体２と、本体２に組み込まれる第１ないし第３の３つのリードプレート３，４，５と、これらのリードプレート３，４，５の所定のものにそれぞれ取り付けられる吸いリード１９，２２、吸い開放弁２０，２３、吹きリード２５及び吹き開放弁２１，２４と、本体２に取り付けられるマウスピース７と、スライドレバー８とを具備する。
本体２は、複数個の互いに隔絶された笛室９，１２と通気室１０，１３とが交互に左右方向に並んで上下２列に配置された第１及び第２の隔室列（９・１０，１２・１３）を具備する。第２の隔室列の各通気室１３は、第１の隔室列の各笛室９の下に、また各笛室１２は通気室１０の下にそれぞれ配置される相互位置関係である。本体２は、第１及び第２の隔室列に対応して左右方向に並んで配置された第１及び第２の吹き口１５，１６列を有する。第１の吹き口列を構成する各吹き口１５は、第１の隔室列の各笛室９に連通する。第２の吹き口列を構成する各吹き口１６は、第２の隔室列の各笛室１２に連通する。
第１のリードプレート３は、本体２の第１の隔室列の上部に沿って本体２に取り付けられ、第１の隔室列の各笛室９に対応する位置に発音窓３ａを、また各通気室１０に対応する位置に排気窓３ｂをそれぞれ有する。
第２のリードプレート４は、本体２の第２の隔室列の下部に沿って本体２に取り付けられ、第２の隔室列の各笛室１２に対応する位置に発音窓４ａ、また、各通気室１３に対応する位置に排気窓４ｂをそれぞれ有する。
第３のリードプレート５は、本体２の第１の隔室列と第２の隔室列との間に介設され、第１、第２の隔室列の各笛室９，１２に対応する位置に発音窓５ａを有する。
第１のリードプレート３の発音窓３ａに対応して、当該リードプレート３の外側面に、吸いリード１９が取り付けられ、内側面に吸い開放弁２０が取り付けられる。
第２のリードプレート４の発音窓４ａに対応して、当該リードプレート４の外側面に、吸いリード２２が取り付けられ、内側面に吸い開放弁２３が取り付けられる。
第３のリードプレート５の発音窓５ａに対応するように当該リードプレート５の各笛室９，１２側の面に、吹きリード２５が取り付けられる。
第１及び第２のリードプレート３，４の各排気窓３ｂ、４ｂに対応して当該各リードプレート３，４の外側面に、吹き開放弁２１，２４が取り付けられる。
本体２には、マウスピース７が取り付けられる。マウスピースは、それぞれ第１の吹き口１５列と第１の吹き口１６列の上下に並ぶ２つの吹き口１５，１６に同時に連通するように、左右方向一列に並んで形成された複数の吹き孔７ａを有する。
マウスピース７と本体２との間に、スライドレバー８が設けられる。スライドレバー８は、左右方向の第１位置と第２位置の間を移動自在に設けられ、第１位置において上下に並ぶ２つの吹き口１５，１６の一方を遮蔽して他方を開き、第２位置において当該２つの吹き口１５，１６の他方を遮蔽して一方を開くように千鳥配列された複数の開口８ａ、８ｂを有する。
このスライドレバー８が第１位置にあるときに開かれる吹き口１５に連通する笛室９，１２に対応する吹き吸いのリード１９，２２，２５は、左端の笛室９から順次右端側へ高音となるように配置された長音階のリードである。
スライドレバー８が第２位置にあるときに開かれる他の吹き口８ｂに連通する笛室９，１２に対応する吹き吸いのリード１９，２２，２５は、左端の笛室１２から順次右端側へ高音となるように配置された半音階のリードである。
【発明の効果】
【０００６】
この出願に係る発明のクロマチックハーモニカ１によれば、吸いリード１９，２２、吸い開放弁２０，２３及び吹き開放弁２１，２３が、第１、第２のリードプレート３，４上に配置され、吹きリード２５は全て第３のリードプレート５上に配置される。笛室９，１２は、上下にずれて、横方向に千鳥配置される。吹きリード２５とこれに対応する吹き開放弁２１，２４とは、隣接する笛室９・９，１２・１２の間の通気室１０，１３を介して連通される。吹き開放弁２１，２４は、第１又は第２のリードプレート３，４の外側面に固定されるから、通気室１０，１３の幅を拘束しない。したがって、通気室１０，１３は、吹きリード２５の振動を妨げない限度で、その幅を狭く構成でき、相対的に笛室９，１２の幅を拡大することができる。拡大された笛室９，１２には、相対的に大型のリード１９，２２，２５を設置して大きな音量を得ることができる。
【図面の簡単な説明】
【０００７】
【図１】本発明に係るハーモニカの実施形態を示すカバーを外した分解斜視図である。
【図２】図１のハーモニカの別の分解斜視図である。
【図３】（Ａ）は図１のハーモニカの正面図、（Ｂ）、（Ｃ）は同ハーモニカのマウスピースを外した状態の正面図、（Ｄ）は同ハーモニカのスライドレバーを外した状態の正面図である。
【図４】図１のハーモニカの側面図である。
【図５】図４におけるV−V断面図である。
【図６】図４におけるVI−VI断面図である。
【図７】図４におけるVII−VII断面図である。
【図８】図４におけるVIII−VIII断面図である。
【図９】スライドレバーの位置と開かれる笛室の関係を示す説明図である。
【発明を実施するための形態】
【０００８】
図面を参照してこの発明の実施の形態を説明する。
図１、２において、クロマチックハーモニカ１は、本体２と、本体１に組み込まれる第１ないし第３の３つのリードプレート３，４，５と、これらのリードプレート３，４，５に取り付けられる吸いリード１９，２２、吸い開放弁２０，２３、吹きリード２５及び吹き開放弁２１，２４（図５）と、本体２に取り付けられる裏板６と、マウスピース７と、スライドレバー８とを具備する。
本体２は、上部材２aと下部材２ｂとを接合してなり、両者間に第３のリードプレート５が挟まれる。図５〜７において、本体２の上部材２ａには、複数個の互いに隔絶された笛室９と通気室１０とが交互に左右方向に並んで配置された第１の隔室列が、また下部材２ｂには、同様に複数個の互いに隔絶された笛室１２と通気室１３とが交互に左右方向に並んで配置された第２の隔室列が形成される。
第１の隔室列と第２の隔室列とは、以下のような配置関係にある。すなわち、図５に示すように、下部材２ｂの各通気室１３は、上部材２ａの各笛室９の下に、また各笛室１２は通気室１０の下にそれぞれ配置される相互位置関係である。
図１，２において、上部材２ａは、各笛室９に連通する吹き口１５列を有する。下部材２ｂは、各笛室１２に連通する吹き口１６列を有する。裏板６は、本体２の前面に固定され、吹き口１５，１６列に対応する吹き口６ａ列を有する。
図５，７，８に示すように、第１のリードプレート３は、本体２の上面に取り付けられ、各笛室９に対応する位置に発音窓３aを、また各通気室１０に対応する位置に排気窓３ｂをそれぞれ有する。図７において、第１のリードプレート３には、その各発音窓３ａに対応して、当該リードプレート３の外側面に、吸いリード１９が取り付けられ、内側面に吸い開放弁２０が取り付けられる。また、各排気窓３ｂに対応して、リードプレート３の外側面に吹き開放弁２１が取り付けられる。
図５，７，８に示すように、第２のリードプレート４は、本体２の下面に取り付けられ、図７において、各笛室１２に対応する位置に発音窓４ａを、また、図８において、各通気室１３に対応する位置に排気窓４ｂをそれぞれ有する。第２のリードプレート４には、その発音窓４ａに対応して、当該リードプレート４の外側面に、吸いリード２２が取り付けられ、内側面に吸い開放弁２３が取り付けられる。また、各排気窓４ｂに対応して、リードプレート４の外側面に、吹き開放弁２４が取り付けられる。
図７，８において、第３のリードプレート５は、本体２の上下部材２ａ，２ｂ間に介設され、各笛室９，１２に対応する位置に発音窓５ａを有する。第３のリードプレート５には、その発音窓５ａに対応するように、当該リードプレート５の各笛室９，１２側の面に、吹きリード２５が取り付けられる。
従来のクロマチックハーモニカにおいては、横１列に並ぶ笛室の１つの幅寸法内に吹き吸い2つのリードと、これらに対応する吹き開放、吸い開放の２つの弁が左右に並んで配置される。リードと弁の設置スペースは、笛室の横幅内に制限される。本体の左右幅が一定であれば、１列に並んだ各笛室の左右幅を拡大することはできないから、発音体であるリードの大きさを自由に拡大することはできない。
これに対して、この実施形態のクロマチックハーモニカにおいては、吸いリード１９，２２、吸い開放弁２０，２３及び吹き開放弁２１，２３が、第１、第２のリードプレート３，４上に配置され、吹きリード２５は全て第３のリードプレート５上に配置される。笛室９，１２は、上下にずれて、横方向に千鳥配置される。吹きリード２５と、これに対応する吹き開放弁２１，２４とは、隣接する笛室９・９，１２・１２の間の通気室１０，１３を介して連通される。吹き開放弁２１，２４は、第１又は第２のリードプレート３，４の外側面に固定されるから、通気室１０，１３の幅寸法は吹き開放弁２１，２４の幅寸法に拘束されない。したがって、この実施形態においては、通気室１０，１３は、吹きリード２５の振動を妨げない限度で、その幅が狭く構成され、相対的に笛室９，１２の幅が大きく構成される。笛室９，１２には、相対的に大型のリード１９，２２，２５を設置して大きな音量を得ることができる。
しかして、図５に示すように、上方の第１の隔室列における笛室９は、左端から順次右方向へ、吹ｃ１・吸ｄ１−吹ｆ１・吸ｆ１＃−吹ｇ１・吸ａ１−吹ｃ２＃・吸ｃ２−吹ｃ２・吸ｄ２−吹ｆ２・吸ｆ２＃−吹ｇ２・吸ａ２−吹ｃ３＃・吸ｃ３−吹ｃ３・吸ｄ３−吹ｆ３・吸ｆ３＃−吹ｇ３・吸ａ３−吹ｃ４＃・吸ｄ４を発音するように配置され、下方の第２の隔室列における笛室１２は、左端の通気室１３に続いて順次右方向へ、吹ｃ１＃・吸ｄ１＃−吹ｅ１・吸ｆ１−吹ｇ１＃・吸ａ１＃−吹ｃ２・吸ｂ１−吹ｃ２＃・吸いｄ２＃−吹ｅ２・吸ｆ２−吹ｇ２＃・吸ａ２＃−吹ｃ３・吸ｂ２−吹ｃ３＃・吸ｄ３＃−吹ｅ３・吸ｆ３−吹ｇ３＃・吸ａ３＃−吹ｃ４・吸ｂ３を発音するように配置される。
図２，３に示すように、本体２の前面側には、マウスピース７が取り付けられる。マウスピース７は、左右方向一列に並んで形成された複数の吹き孔７ａを有する。各吹き孔７ａは、上下に並ぶ２つの吹き口１５，１６に同時に連通するように仕切られている。
マウスピース７と本体２との間に、裏板６を介して、スライドレバー８が設けられる。図３（Ｂ），（Ｃ）に示すように、スライドレバー８は、左右方向の第１位置と第２位置の間を移動自在に設けられ、ばね１７により右側の第１位置（Ｂ）へ付勢される。
スライドレバー８は、左右方向に千鳥配列された複数の開口８ａを有する。開口８ａは、スライドレバー８の位置により開かれる吹き口１５，１６（これに連通する笛室９，１２）を変化させる。図９に、スライドレバー８の位置と、開かれる笛室９，１２の関係を示す。図９（Ａ）に示すように、スライドレバー８が第１位置にあるとき、開口８ａは、左端側から順次右端側へ吹ｃ１・吸ｄ１−吹ｅ１・吸ｆ１−吹ｇ１・吸ａ１−吹ｃ２・吸ｂ１−吹ｃ２・吸ｄ２−吹ｅ２・吸ｆ２−吹ｇ２・吸ａ２−吹ｃ３・吸ｂ２−吹ｃ３・吸ｄ３−吹ｅ３・吸ｆ３−吹ｇ３・吸ａ３−吹ｃ４・吸ｂ３と、長音階を構成する吹き口１５，１６のみを開く。図９（Ｂ）に示すように、スライドレバー８が第２位置にあるとき、開口８ａは、左端の笛室から順次右端側へ、吹ｃ１＃・吸ｄ１＃−吹ｅ１・吸ｆ１−吹ｇ１＃・吸ａ１＃−吹ｃ２・吸ｂ１−吹ｃ２＃・吸いｄ２＃−吹ｅ２・吸ｆ２−吹ｇ２＃・吸ａ２＃−吹ｃ３・吸ｂ２−吹ｃ３＃・吸ｄ３＃−吹ｅ３・吸ｆ３−吹ｇ３＃・吸ａ３＃−吹ｃ４・吸ｂ３と、半音階を構成する吹き口１５，１６のみを開く。
【符号の説明】
【０００９】
１    クロマチックハーモニカ
２    本体
２ａ  上部材と
２ｂ  下部材
３    第1のリードプレート
３ａ  発音窓
３ｂ  排気窓
４    第２のリードプレート
４ａ  発音窓
４ｂ  排気窓
５    第３のリードプレート
６    裏板
６ａ  吹き口
７    マウスピース
７ａ  吹き孔
８    スライドレバー
８ａ  開口
９    笛室
１０  通気室
１２  笛室
１３  通気室
１５  吹き口
１６  吹き口
１７  ばね
１９  吸いリード
２０  吸い開放弁
２１  吹き開放弁
２２  吸いリード
２３  吸い開放弁
２４  吹き開放弁
２５  吹きリード
【図１】
0005756735.tif 000002
【図２】
0005756735.tif 000003
【図３】
0005756735.tif 000004
【図４】
0005756735.tif 000005
【図５】
0005756735.tif 000006
【図６】
0005756735.tif 000007
【図７】
0005756735.tif 000008
【図８】
0005756735.tif 000009
【図９】
0005756735.tif 000010